(57)【要約】【課題】  デジタルコンテンツに対するオンラインコミュニティサービスの提供システム及び方法を提供する。【解決手段】  デジタルコンテンツについての再生情報を提供する再生情報提供サーバと、ユーザによりデジタルコンテンツが選択され、選択されたデジタルコンテンツについての再生情報を再生情報提供サーバに要請し、該当する再生情報を受信するクライアント及び前記クライアントの要請によって前記クライアントに前記再生情報に基づくユーザの選好度に対応してオンラインコミュニティサービスを提供するコミュニティサーバを含む。【選択図】      図２
2010165372.tif 000002
【特許請求の範囲】
【請求項１】
デジタルコンテンツを再生するデジタル再生装置を含むクライアントにおいて、
前記デジタル再生装置で再生されるデジタルコンテンツについての情報を収集し、前記デジタル再生装置を使用するユーザに対するデジタルコンテンツの再生情報を提供し、
前記ユーザに対するデジタルコンテンツの再生情報は、前記デジタル再生装置で再生される１つ以上のデジタルコンテンツについての情報を含むユーザ行動感知モジュールと、
前記ユーザ行動感知モジュールにより提供された前記ユーザに対するデジタルコンテンツの再生情報に基づいてデジタルコンテンツに対するユーザの好み情報を含むデータフレームを生成するコンテンツ情報管理モジュールと、
前記データフレームをネットワークを通じて連結されたコミュニティサーバに伝送し、前記コミュニティサーバからデジタルコンテンツに対する前記ユーザの好み情報に対応するオンラインコミュニティサービスについての情報の提供を受ける通信インターフェースモジュールと、を備えるクライアント。
【請求項２】
前記デジタル再生装置で再生されるデジタルコンテンツについての情報は、前記デジタル再生装置での前記デジタルコンテンツの再生回数を含む、請求項１に記載のクライアント。
【請求項３】
前記デジタルコンテンツは、音楽コンテンツであり、前記デジタル再生装置で再生されるデジタルコンテンツについての情報は、前記デジタル再生装置で再生される前記音楽コンテンツのジャンル、タイトル、アーティストについての情報のうち少なくとも1つを含む請求項１に記載のクライアント。
【請求項４】
前記デジタルコンテンツに対するユーザの好み情報は、前記ユーザに対するデジタルコンテンツの再生情報を分析し、前記１つ以上のデジタルコンテンツに対する前記ユーザの選好度を示す請求項１に記載のクライアント。
【請求項５】
前記好み情報は、前記１つ以上のデジタルコンテンツに対し、ユーザにより指定された好み等級についての情報を含む請求項４に記載のクライアント。
【請求項６】
前記デジタル再生装置を利用するユーザに対するデジタルコンテンツの再生情報が保存された保存モジュールをさらに備える請求項１に記載のクライアント。
【請求項７】
オンラインコミュニティサービスをクライアントに提供するオンラインコミュニティサービス提供サーバにおいて、
デジタルコンテンツを再生するデジタル装置を含むクライアントからデジタルコンテンツについてのユーザの好み情報を含むデータフレームを受信する通信インターフェースモジュールと、
前記受信されたデータフレームから前記好み情報を抽出し、抽出された好み情報に対応するオンラインコミュニティサービスを検索するコミュニティ生成モジュールと、を備え、
前記通信インターフェースモジュールは、前記コミュニティ生成モジュールにより検索されたオンラインコミュニティサービスについての情報を前記クライアントに提供するオンラインコミュニティサービス提供サーバ。
【請求項８】
前記コミュニティ生成モジュールは、前記抽出された好み情報に対応するオンラインコミュニティサービスが検索されない場合に新たなオンラインコミュニティサービスを生成する請求項７に記載のオンラインコミュニティサービス提供サーバ。
【請求項９】
前記デジタルコンテンツに対するユーザの好み情報は、前記デジタル再生装置で再生される１つ以上のデジタルコンテンツの再生情報を分析したものであって、前記デジタル再生装置を利用するユーザの前記１つ以上のデジタルコンテンツに対する好みを示す請求項７に記載のオンラインコミュニティサービス提供サーバ。
【請求項１０】
デジタルコンテンツを再生するデジタル再生装置を含むクライアントおよび前記クライアントにオンラインコミュニティサービスを提供するコミュニティサーバを含むオンラインコミュニティサーバの提供システムにおいて、
前記デジタル再生装置で再生されるデジタルコンテンツについてのデジタルコンテンツの情報を収集し、前記デジタル再生装置を利用するユーザに対するデジタルコンテンツの再生情報を提供し、前記ユーザに対するデジタルコンテンツの再生情報に基づいてデジタルコンテンツに対するユーザの好み情報を含むデータフレームを生成して前記コミュニティサーバに伝送するクライアントと、
前記クライアントから伝送されたデータフレームから前記好み情報を抽出し、当該好み情報に対応するオンラインコミュニティサービスについての情報を前記クライアントに提供するコミュニティサーバと、を備えるオンラインコミュニティサービス提供システム。
【請求項１１】
前記デジタル再生装置で再生されるデジタルコンテンツについての情報は、前記デジタル再生装置での前記デジタルコンテンツの再生回数を含む請求項１０に記載のオンラインコミュニティサービス提供システム。
【請求項１２】
前記デジタルコンテンツは、音楽コンテンツであり、前記デジタル再生装置で再生されるデジタルコンテンツについての情報は、前記デジタル再生装置で再生される前記音楽コンテンツのジャンル、タイトル、アーティストについての情報のうち少なくとも１つを含む請求項１０に記載のオンラインコミュニティサービス提供システム。
【請求項１３】
前記デジタルコンテンツに対するユーザの好み情報は、前記ユーザに対するデジタルコンテンツの再生情報を分析し、前記１つ以上のデジタルコンテンツに対する前記ユーザの選好度を示す請求項１０に記載のオンラインコミュニティサービス提供システム。
【請求項１４】
前記好み情報は、前記１つ以上のデジタルコンテンツに対し、ユーザにより指定された好み等級についての情報を含む請求項１３に記載のオンラインコミュニティサービス提供システム。
【請求項１５】
再生情報提供サーバ、クライアント及びコミュニティサーバを含むオンラインコミュニティサービスの提供システムにおいて、
前記クライアントにから提供されたデジタルコンテンツについての情報を収集し、前記デジタル再生装置を利用するユーザに対するデジタルコンテンツの再生情報を提供する再生情報提供サーバと、
デジタルコンテンツを再生するデジタル再生装置を含み、前記デジタル再生装置で再生されるデジタルコンテンツについての情報を前記再生情報提供サーバに伝送し、前記再生情報提供サーバから前記デジタルコンテンツ再生装置を利用するユーザに対するデジタルコンテンツの再生情報を受信し、前記再生情報に基づいてデジタルコンテンツに対するユーザの好み情報を前記コミュニティサーバに伝送するクライアントと、
前記クライアントから受信した前記ユーザの好み情報に対応するオンラインコミュニティサービスについての情報を前記クライアントに提供するコミュニティサーバと、
を備えるオンラインコミュニティサービスの提供システム。
【請求項１６】
デジタルコンテンツを再生するデジタル再生装置を含むクライアントおよび前記クライアントにオンラインコミュニティサービスを提供するコミュニティサーバを含むオンラインコミュニティサーバの提供システムにより行われるオンラインコミュニティサービスの提供方法であって、
前記クライアントが、前記デジタルコンテンツ再生装置で再生されるデジタルコンテンツについての再生情報に基づくユーザの好み情報を含むデータフレームを生成してコミュニティサーバに伝送するステップと、
前記コミュニティサーバが、前記伝送されたデータフレームから前記好み情報を抽出し、前記好み情報に対応するオンラインコミュニティサービスを検索して前記オンラインコミュニティサービスに対する情報を前記クライアントに提供するステップと、を含むオンラインコミュニティサービスの提供方法。
【請求項１７】
デジタルコンテンツを再生するデジタル再生装置を含むクライアントで行われるオンラインコミュニティサービスの提供方法であって、
デジタル再生装置で再生されるデジタルコンテンツについての情報を再生情報提供サーバに伝送するステップと、
前記再生情報提供サーバから前記デジタル再生装置を利用するユーザに対するデジタルコンテンツの再生情報を受信するステップと、
前記再生情報に基づいてデジタルコンテンツについてのユーザの選好度をコミュニティサーバに伝送し、前記ユーザの選好度に対応するオンラインコミュニティサービスについての情報をコミュニティサーバに要請するステップと、を含むオンラインコミュニティサービスの提供方法。
【発明の詳細な説明】
【技術分野】
【０００１】
本発明は、オンラインコミュニティサービスに係り、さらに詳細には、さらに便利な方法でデジタルコンテンツに対するオンラインコミュニティサービスを提供するシステム及び方法に関する。
【背景技術】
【０００２】
最近、デジタルディバイスの普及が増加するにつれて、デジタル音楽ファイルのようなデジタルコンテンツの市場規模も益々大きくなる趨勢である。
【０００３】
合わせて、インターネットという媒体を通じてユーザが所望するデジタルコンテンツを提供するサービスもいろいろな業者によって競争的になされている。
【０００４】
一方、このようなデジタルコンテンツの提供時にオンラインコミュニティサービスも共に提供される場合が多いが、インターネットユーザは、オンラインコミュニティを通じて自分と好みの類似した人々とオンライン上で同じ主題を通じて対話をしたり、自身が必要とする情報を得る。また、ユーザは、オンラインコミュニティを通じて所望のデジタルコンテンツを購買することもある。
【０００５】
図１は、従来の技術によってオンラインコミュニティサービスが提供される過程を示すフローチャートであって、音楽コンテンツを例として説明する。
【０００６】
まず、ユーザは、音楽ファイル再生器を用いて自身のローカルシステムに保存された任意の音楽を再生する（Ｓ１１０）。次いで、インターネットを通じて自身が加入されている音楽サービスを提供するウェブサイトにログインしてコミュニティサービスに接続する（Ｓ１２０）。
【０００７】
ユーザは、コミュニティサービスに接続した後、コミュニティメニューに移動し（Ｓ１３０）、複雑なコミュニティ分類目録から関心のある主題のサブカテゴリー（大分類及び小分類）に対する検索を行う（Ｓ１４０）。
【０００８】
この際、ユーザが所望するコミュニティが存在する場合には、チャットルームまたはカフェのような該当コミュニティに接続し（Ｓ１５０、Ｓ１６０）、そうでない場合には、該当コミュニティを生成して接続する（Ｓ１５０、１７０）。
【０００９】
このように従来の技術によれば、ユーザは、所望のコミュニティに接近するためにいろいろなステップを経なければならず、所望の主題のコミュニティが存在しない場合には、直接作らねばならない煩わしさがある。
【００１０】
また、各種のコミュニティがユーザの好みとは関係なく、任意に分類されて提供されているので、ユーザの趣向に合うカスタマイズ型コミュニティサービスを希望するユーザには多少の不便さが伴う。
【先行技術文献】
【特許文献】
【００１１】
【特許文献１】韓国公開特許第２００４−０６９９２８号公報
【発明の概要】
【発明が解決しようとする課題】
【００１２】
本発明は、所定のコンテンツ情報を用いてユーザがさらに便利に所望のコミュニティに接続しうるシステム及び方法を提供することを目的とする。
【００１３】
本発明の目的は、以上で言及した目的に制限されず、言及されていない他の目的は下の記載から当業者に明確に理解されうる。
【課題を解決するための手段】
【００１４】
前記目的を達成するために本発明の一実施形態によるデジタルコンテンツに対するオンラインコミュニティサービス提供クライアントは、ユーザにより再生されるデジタルコンテンツの再生情報を収集するユーザ行動感知モジュールと、前記ユーザ行動感知モジュールにより収集された再生情報に基づくユーザの好み情報を含むデータフレームを生成するコンテンツ情報管理モジュール及び前記生成されたデータフレームを伝送し、前記好み情報に対応するオンラインコミュニティサービスを受信してユーザに提供する通信インターフェースモジュールを含む。
【００１５】
前記目的を達成するために本発明の一実施形態によるオンラインコミュニティサービス提供サーバは、所定のデジタルコンテンツについてのユーザ好み情報を含むデータフレームを受信する通信インターフェースモジュールと、前記受信されたデータフレームから前記好み情報を抽出し、抽出された好み情報に対応するオンラインコミュニティサービスを検索するコミュニティ生成モジュールと、を備え、前記通信インターフェースモジュールは、前記コミュニティ生成モジュールにより検索されたオンラインコミュニティサービスを提供する。
【００１６】
前記目的を達成するために本発明の一実施形態によるオンラインコミュニティサービスの提供システムは、デジタルコンテンツについてのユーザの好み情報を提供するクライアントと、前記クライアントに対して前記好み情報に対応するオンラインコミュニティサービスを提供するコミュニティサーバと、を含む。
【００１７】
また、前記目的を達成するために本発明の一実施形態によるオンラインコミュニティサービスの提供システムは、デジタルコンテンツについての再生情報を提供する再生情報提供サーバと、ユーザによりデジタルコンテンツが選択され、前記選択されたデジタルコンテンツについての再生情報を前記再生情報提供サーバに要請し、該当する再生情報を受信するクライアントと、前記クライアントの要請によって前記クライアントに前記再生情報に基づくユーザの選好度に対応してオンラインコミュニティサービスを提供するコミュニティサーバと、を含む。
【００１８】
また、前記目的を達成するために本発明の一実施形態によるオンラインコミュニティサービスの提供方法は、デジタルコンテンツについてのユーザの好み情報を提供するステップと、前記好み情報に対応するオンラインコミュニティサービスを提供するステップと、を含む。
【００１９】
また、前記目的を達成するために本発明の一実施形態によるオンラインコミュニティサービスの提供方法は、ユーザにより選択されたデジタルコンテンツについての再生情報を要請するステップと、前記要請した再生情報を受信するステップと、前記受信した再生情報に基づくユーザの選好度に対応してオンラインコミュニティサービスを要請するステップと、を含む。
【００２０】
その他の実施例の具体的な事項は詳細な説明及び図面に含まれている。
【発明の効果】
【００２１】
本発明によれば、デジタルコンテンツに対するオンラインコミュニティサービスを利用するためにユーザはさらに単純化された過程を通じて便利に利用しうる。
【００２２】
また、本発明によれば、ユーザの趣向に合うオンラインコミュニティサービスをさらに便利に提供しうる。
【図面の簡単な説明】
【００２３】
【図１】従来の技術によってオンラインコミュニティサービスが提供される過程を示すフローチャートである。
【図２】本発明の一実施形態によるオンラインコミュニティサービスの提供システムを示すブロック図である。
【図３】本発明の一実施形態によるオンラインコミュニティサービスを提供する方法を示すフローチャートである。
【図４】本発明の一実施形態によってクライアントがコミュニティサーバに伝送するデータフレームの構造を示す例示図である。
【図５Ａ】本発明の一実施形態によるコミュニティメニューを示す例示図である。
【図５Ｂ】本発明の一実施形態によるコミュニティメニューを示す例示図である。
【図５Ｃ】本発明の一実施形態によるコミュニティメニューを示す例示図である。
【図６】本発明の他の実施形態によるオンラインコミュニティサービスの提供システムを示すブロック図である。
【図７】本発明のさらに他の実施形態によるオンラインコミュニティサービスの提供システムを示すブロック図である。
【図８】図７に示されたメディアサーバにより提供される情報を示す例示図である。
【発明を実施するための形態】
【００２４】
本発明の利点及び特徴、そしてこれを達成する方法は添付された図面に基づいて詳細に後述されている実施例を参照すれば明確になる。しかし、本発明は以下で開示される実施例に限定されるものではなく、この実施例から外れて多様な形に具現でき、本明細書で説明する実施例は本発明の開示を完全にし、本発明が属する技術分野で当業者に発明の範ちゅうを完全に報せるために提供されるものであり、本発明は請求項及び発明の詳細な説明により定義されるだけである。一方、明細書全体に亙って同一な参照符号は同一な構成要素を示す。
【００２５】
以下、本発明の一実施形態によるデジタルコンテンツに対するオンラインコミュニティサービスの提供システム及び方法を説明するためのブロック図、または処理フローチャートに関する図面を参考して本発明について説明する。この時、フローチャートの各ブロックとフロ−チャートの組合わせはコンピュータプログラムインストラクションにより実行可能なのが理解できるであろう。これらコンピュータプログラムインストラクションは、汎用コンピュータ、特殊用コンピュータまたはその他のプログラマブルデータプロセッシング装備のプロセッサーに搭載されうるので、コンピュータまたはその他のプログラマブルデータプロセッシング装備のプロセッサーを通じて実行されるそのインストラクションがフローチャートのブロックで説明された機能を行う手段を生成するように機構を作れる。これらコンピュータプログラムインストラクションは特定方式で機能を具現するためにコンピュータまたはその他のプログラマブルデータプロセッシング装備を指向できるコンピュータ利用可能またはコンピュータ判読可能メモリに保存されることも可能なので、そのコンピュータ利用可能またはコンピュータ判読可能メモリに保存されたインストラクションはフローチャートのブロックで説明された機能を行うインストラクション手段を内包する製造品目を生産することも可能である。コンピュータプログラムインストラクションはコンピュータまたはその他のプログラム可能なデータプロセッシング装備上に搭載することも可能なので、コンピュータまたはその他のプログラマブルデータプロセッシング装備上で一連の動作段階が実行されてコンピュータで実行されるプロセスを生成し、コンピュータまたはその他のプログラマブルデータプロセッシング装備を行うインストラクションはフローチャートのブロックで説明された機能を実行するための段階を提供することも可能である。
【００２６】
また、各ブロックは特定の論理的機能を行うための一つ以上の実行可能なインストラクションを含むモジュール、セグメントまたはコードの一部を示すことができる。また、いくつの代替実行例では、ブロックで言及された機能が順序を外れて発生することも可能であるということに注目せねばならない。例えば、連続して図示されている２つのブロックは、実質的に同時に行われてもよく、またはそのブロックが時々該当する機能によって逆順に行われてもよい。
【００２７】
以下、添付された図面を参照して本発明の一実施形態によるデジタルコンテンツに対するオンラインコミュニティサービスの提供システム及び方法について詳細に説明する。
【００２８】
一方、本発明は、一般的なデジタルコンテンツに対するオンラインコミュニティサービスをその対象としているが、本発明についての説明を容易にするためにデジタルコンテンツのうち、音楽に関するコンテンツを中心に説明する。しかし、本発明は、音楽コンテンツにのみ限定されるものではなく、他のデジタルコンテンツにも適用されうる。
【００２９】
図２は、本発明の一実施形態によるオンラインコミュニティサービスの提供システムを示すブロック図である。
【００３０】
図２を参照すれば、本発明によるオンラインコミュニティサービスの提供システム１００は、ユーザにより操作されてデジタルコンテンツ、特に音楽コンテンツについてのユーザの好み情報を提供するクライアント１１０と、該クライアント１１０とインターネットのようなネットワークを通じて連結され、前記ユーザの好み情報についての情報によってクライアント１１０にユーザの趣向に合うコミュニティを提供するコミュニティサーバ１５０を備える。
【００３１】
この際、クライアント１１０は、ユーザ行動感知モジュール１１２、コンテンツ情報管理モジュール１１４、保存モジュール１１６そして通信インターフェースモジュール１１８を備える。
【００３２】
ユーザ行動感知モジュール１１２は、ユーザが任意のデジタルコンテンツを選択して再生する場合、再生されるデジタルコンテンツの再生情報を収集する。例えば、音楽コンテンツの場合、再生情報はアーティスト情報、タイトル情報、ジャンル情報などを含みうる。
【００３３】
このような再生情報は、ユーザが選択したデジタルコンテンツに付加されたメタデータの形態に存在しうる。また、このような再生情報は、再生回数についての情報を含みうる。
【００３４】
コンテンツ情報管理モジュール１１４は、ユーザ行動感知モジュール１１２により収集された再生情報を保存モジュール１１６に保存するか、前記再生情報に基づいてコミュニティサーバ１５０に伝送するためのデータフレームを生成する。
【００３５】
保存モジュール１１６は、前記再生情報とユーザによる好み等級情報を含みうる。
【００３６】
通信インターフェースモジュール１１８は、前記生成されたデータフレームをコミュニティサーバ１５０に伝送し、コミュニティサーバ１５０からユーザの趣向に合うオンラインコミュニティサービスを受信してクライアント１１０の出力ディバイス（図示せず）を通じてユーザに提供する。
【００３７】
一方、コミュニティサーバ１５０は、通信インターフェースモジュール１５２、コミュニティ生成モジュール１５４そしてコミュニティデータベース１５６を含む。
【００３８】
通信インターフェースモジュール１５２は、クライアント１１０から伝送されたデータフレームを受信してコミュニティ生成モジュール１５４に伝達し、コミュニティ生成モジュール１５４により提供されるオンラインコミュニティサービスをクライアント１１０に提供する。
【００３９】
コミュニティ生成モジュール１５４は、通信インターフェースモジュール１５２から伝えられたデータフレームから前記再生情報を抽出し、抽出された再生情報に基づいてコミュニティデータベース１５６を通じて該当するオンラインコミュニティサービスを検索する。
【００４０】
もし、コミュニティデータベース１５６に該当するオンラインコミュニティサービスが存在すれば、これを通信インターフェースモジュール１５２に提供し、そうでない場合には、前記再生情報に適したオンラインコミュニティサービスを生成して通信インターフェースモジュール１５２に提供する。
【００４１】
コミュニティデータベース１５６は、デジタルコンテンツの多様な再生情報に基づいてオンラインコミュニティサービスについての情報を保存する。このようなオンラインコミュニティサービスは、カフェ、チャットルーム、情報交流の形態に存在しうる。
この際、  本実施例で使われる‘モジュール’という用語は、ソフトウェアまたはＦＰＧＡ（Ｆｉｅｌｄ  Ｐｒｏｇｒａｍｍａｂｌｅ  Ｇａｔｅ  Ａｒｒａｙ）または注文型半導体（Ａｐｐｌｉｃａｔｉｏｎ  Ｓｐｅｃｉｆｉｃ  Ｉｎｔｅｇｒａｔｅｄ  Ｃｉｒｃｕｉｔ；ＡＳＩＣ）のようなハードウェア構成要素を意味し、モジュールは所定の役割を行う。しかし、モジュールはソフトウェアまたはハードウェアに限定されるものではない。モジュールは、アドレッシング可能な保存媒体に存在すべく構成されても良く、１つまたはそれ以上のプロセッサーを実行させるように構成されても良い。したがって、一例としてモジュールは、ソフトウェア構成要素、客体指向ソフトウェア構成要素、クラス構成要素及びタスク構成要素のような構成要素と、プロセス、関数、属性、プロシージャ、サブルーチン、プログラムコードのセグメント、ドライバー、ファームウェア、マイクロコード、回路、データ、データベース、データ構造、テーブル、アレイ、及び変数を含む。構成要素とモジュールから提供される機能は、より少数の構成要素及びモジュールで結合されるか、追加的な構成要素とモジュールにさらに分離されうる。のみならず、構成要素及びモジュールは  通信システム内の１つまたはそれ以上のコンピュータを再生させるように具現されることもある。
【００４２】
図２に示されたクライアント１１０とコミュニティサーバ１５０との動作過程を図３に示されたフローチャートを用いて具体的に説明する。
【００４３】
まず、ユーザがクライアント１１０でデジタル再生装置を用いてデジタルコンテンツを再生する場合、ユーザ行動感知モジュール１１２は、このようなユーザの行動を感知する（Ｓ３１０）。すなわち、本発明で意味するユーザの行動感知は、ユーザがデジタルコンテンツを再生しているか否かを検査することをいう。
【００４４】
ユーザ行動感知モジュール１１２によりユーザの行動が感知されれば、すなわち、例えば、ユーザが音楽ファイル再生器を用いて音楽を再生する場合、ユーザ行動感知モジュール１１２は、前記のようなユーザの行動に対応するデジタルコンテンツ情報を収集する（Ｓ３２０）。
【００４５】
この際、前記デジタルコンテンツ情報は、望ましくは、デジタルコンテンツの再生に関する情報であって、音楽コンテンツの場合、前記再生情報は、再生される音楽のジャンル、タイトル、アーティストなどについての情報になりうる。
【００４６】
このような再生情報は、再生される音楽コンテンツに付加されて提供されうる。また、このような再生情報には、ユーザによる再生回数を示す情報を含みうる。
【００４７】
ユーザ行動感知モジュール１１２は、収集したデジタルコンテンツ情報をコンテンツ情報管理モジュール１１４に提供するが、現在、音楽コンテンツが再生されつつ、ユーザからオンラインコミュニティに対する接続要請がない場合には（Ｓ３３０）、コンテンツ情報管理モジュール１１４は、前記収集した再生情報を保存モジュール１１６に保存する（Ｓ３４０）。
【００４８】
保存モジュール１１６には前記のような再生情報の他にもユーザにより評価される好み等級情報をも含みうる。
【００４９】
前記好み等級情報は、ユーザが所定の方式によって現在再生される音楽に対する評価を行った結果についての情報であって、例えば、０から１０までの範囲内で点数をとるか、そうでなければ、星（ｓｔａｒ）状の好みに対する数を選択することによって、現在再生される音楽に対する評価を行える。前記音楽ファイル再生器のようなデジタルコンテンツ再生機器は、前記のようにユーザが現在再生されるデジタルコンテンツを評価しうるユーザインターフェースを提供することが望ましい。前記ユーザインターフェースは、ユーザから前記好み等級情報を入力されて保存モジュール１１６に保存しうる。また、このような好み等級情報及びユーザが選択するデジタルコンテンツについての情報に基づいてデジタルコンテンツに対するユーザの選好度を把握しうる。
【００５０】
一方、ユーザは、現在再生中の音楽についてのさらに多くの情報やこの音楽を好む人々との対話を願うとき、現在再生中の音楽コンテンツについてのオンラインコミュニティサービスを希望しうる。また、自身が好むアーティスト、ジャンルなどに対するオンラインコミュニティサービスをも希望し得る。
【００５１】
このような場合、ユーザは、前記音楽ファイル再生器と関連されたポップアップメニューまたは他の形のユーザインターフェースを通じて現在再生中の音楽コンテンツに対するオンラインコミュニティサービスまたは自身の好みによるオンラインコミュニティサービスを要請する（Ｓ３３０）。
【００５２】
コンテンツ情報管理モジュール１１４は、前記のような要請によってコミュニティサーバ１５０に伝送するデータフレームを生成する（Ｓ３５０）。
【００５３】
前記データフレームは、保存モジュール１１６に保存された再生情報と現在再生される音楽コンテンツについての情報とを用いて生成されうるが、現在再生される音楽コンテンツについての情報は、ユーザ行動感知モジュール１１２から提供を受けたデジタルコンテンツ情報である。このようなデータフレームの構造を図４に例示している。
【００５４】
図４を参照すれば、コンテンツ情報管理モジュール１１４により生成されるデータフレームは、データフレームの始終を知らせる‘開始’フィールドと‘終了’フィールドとを含み、その間にはユーザの好み情報４１０が記録されたフィールドが位置する。
【００５５】
好み情報４１０は、図４に示されたように、アーティスト、タイトル、ジャンル、以前曲、現在曲などを含むが、それぞれのフィールド後にはユーザの選好度による具体的な好み情報が羅列される。図４では、ユーザの選好度順に５人のアーティスト、５曲の歌、５個のジャンル、以前曲及び現在再生中の曲についての情報を含んでいる。
【００５６】
前記ユーザの選好度は、保存モジュール１１６に保存された再生情報を用いて構成されうるが、再生回数、ユーザ好み等級などについての情報が前記ユーザ選好度に反映されうる。
【００５７】
一方、ユーザが現在再生中の音楽コンテンツに対するオンラインコミュニティサービスを要請する場合には、‘開始’フィールドと‘終了’フィールドとの間に‘現在曲’フィールドについての情報だけを含んでデータフレームを構成しうる。
【００５８】
また、自身の好みによるオンラインコミュニティサービスを要請する場合には、‘開始’フィールドと‘終了’フィールドとの間に‘アーティスト’、‘タイトル’、‘ジャンル’フィールドについての情報だけを含んでデータフレームを構成しても良い。
【００５９】
コンテンツ情報管理モジュール１１４が図４に示されたようなデータフレームを生成して通信インターフェースモジュール１１８に伝達すれば、通信インターフェースモジュール１１８は、前記生成されたデータフレームをコミュニティサーバ１５０に伝送する。
【００６０】
コミュニティサーバ１５０の通信インターフェースモジュール１５２は、前記データフレームを受信し、これをコミュニティ生成モジュール１５４に伝達する。
【００６１】
コミュニティ生成モジュール１５４は、前記データフレームからユーザの好み情報を抽出し、これに基づいてユーザの好みに合うオンラインコミュニティサービスをコミュニティデータベース１５０から検索する。
【００６２】
コミュニティデータベース１５６は、デジタルコンテンツの多様な再生情報に基づいてオンラインコミュニティサービスについての情報を保存する。このようなオンラインコミュニティサービスは、カフェ、チャットルーム、情報交流の形に存在しうる。もし、コミュニティデータベース１５６に前記ユーザの好み情報に適したオンラインコミュニティサービスが存在すれば、コミュニティ生成モジュール１５４はこれを通信インターフェースモジュール１５２に提供し、そうでない場合には、前記ユーザの好み情報に適したオンラインコミュニティサービスを生成して通信インターフェースモジュール１５２に提供する。
【００６３】
通信インターフェースモジュール１５２は、コミュニティ生成モジュール１５４により提供されるオンラインコミュニティサービスをクライアントに提供することによって、ユーザは所望のコミュニティに接続する（Ｓ３６０）。
【００６４】
図５Ａないし図５Ｃは、本発明の一実施形態によるコミュニティメニューを示す例示図であって、コミュニティサーバ１５０によりクライアント１１０に提供されうるが、図５Ａはアーティスト選好度順に、図５Ｂは曲選好度順に、図５Ｃはジャンル選好度順にコミュニティ目録が羅列されている。この際、それぞれのコミュニティメニューのうち、最初のコミュニティ項目（‘Ｈｏｔ  Ｉｓｓｕｅｓ  ラブホリックー片について’）と２番目のコミュニティ項目（‘Ｈｏｔ  Ｉｓｓｕｅｓ李ヒョリ  １０ｍｉｎｕｔｅｓ’）は各々現在クライアント１１０で再生している曲及び以前に再生した曲に基づいて提供されるコミュニティである。
【００６５】
コミュニティサーバ１５０によりクライアント１１０に提供されるコミュニティメニューは、図５Ａないし図５Ｃに示された形態に限定されるものではなく、クライアント１１０に保存された多様な再生情報に基づくユーザの選好度または趣向が反映されるメニューの形であれば、いかなる形でも良い。
【００６６】
図６は、本発明の他の実施形態によるオンラインコミュニティサービスの提供システムを示すブロック図である。
【００６７】
図６を参照すれば、オンラインコミュニティサービスの提供システム６００は、クライアント６１０、コミュニティサーバ６２０そして再生情報提供サーバ６３０を備える。この際、クライアント６１０とコミュニティサーバ６２０は、図２に示されたクライアント１１０とコミュニティサーバ１５０に対応する。
【００６８】
ユーザがクライアント６１０でデジタル再生装置を用いてデジタルコンテンツを再生する場合、クライアント６１０はこれを感知して再生されるデジタルコンテンツ、例えば、音楽コンテンツのタイトルについての情報を再生情報提供サーバ６３０に伝送する。
【００６９】
次いで、再生情報提供サーバ６３０は、前述したデジタルコンテンツについての再生情報をクライアント６１０に提供し、クライアント６１０は前記提供された再生情報に基づいてコミュニティサーバ６２０に対して現在再生中のデジタルコンテンツに対するオンラインコミュニティサービスまたはユーザの好みによるオンラインコミュニティサービスを要請する。デジタルコンテンツに対するユーザの選好度は、前述した方法による。
【００７０】
図７は、本発明のさらに他の実施形態によるオンラインコミュニティサービスの提供システムを示すブロック図である。
【００７１】
図７を参照すれば、オンラインコミュニティサービスの提供システム７００は、クライアント７１０、コミュニティサーバ７２０そしてメディアサーバ７３０を含む。この際、クライアント７１０とコミュニティサーバ７２０は、図２に示されたクライアント１１０とコミュニティサーバ１５０とに対応する。
【００７２】
メディアサーバ７３０は、現在サービスされているデジタルコンテンツの詳細情報を有しているサーバであって、コミュニティサーバ７２０とネットワークを通じて連結される。
【００７３】
例えば、図８で示されたようにユーザが好むアーティストに対するコミュニティ目録のうち、‘テイ’についての詳細情報を知るために、ユーザが‘テイ’コミュニティをクリックすれば、コミュニティサーバ７２０は、‘テイ’オンラインコミュニティサービスをクライアント７１０に提供しつつ、メディアサーバ７３０をして、‘テイ’についての詳細情報を検索させ、検索された情報を‘テイ’コミュニティにディスプレイさせる（Ｓ８２０）。
【００７４】
この際、コミュニティサーバ７２０とメディアサーバ７３０は、別途のサーバとして機能するものではなく、１つのサーバ内で機能することもできる。
【００７５】
以上、添付図を参照して本発明の実施例を説明したが、本発明が属する技術分野で当業者ならば本発明がその技術的思想や必須特徴を変更せずとも他の具体的な形に実施されうるということが理解できるであろう。したがって、前述した実施例は全ての面で例示的なものであって、限定的なものではないと理解せねばならない。
【産業上の利用可能性】
【００７６】
本発明は、デジタルコンテンツに対するオンラインコミュニティサービスを提供するシステム関連の技術分野に好適に適用されうる。
【符号の説明】
【００７７】
１１２      ユーザ行動感知モジュール
１１４      コンテンツ情報管理モジュール
１１６      保存モジュール
１１８      通信インターフェースモジュール
１５２      通信インターフェースモジュール
１５４      コミュニティ生成モジュール
１５６      コミュニティデータベース
【図１】
2010165372.tif 000003
【図２】
2010165372.tif 000004
【図３】
2010165372.tif 000005
【図４】
2010165372.tif 000006
【図５Ａ】
2010165372.tif 000007
【図５Ｂ】
2010165372.tif 000008
【図５Ｃ】
2010165372.tif 000009
【図６】
2010165372.tif 000010
【図７】
2010165372.tif 000011
【図８】
2010165372.tif 000012